【手続補正書】
【提出日】平成25年3月5日(2013.3.5)
【手続補正１】
【補正対象書類名】特許請求の範囲
【補正対象項目名】請求項１
【補正方法】変更
【補正の内容】
【請求項１】
複数種類の図柄を表示した複数のリールと、
前記リールの回転を開始させるときに遊技者が操作するスタートスイッチと、
各前記リールに対応して設けられ、前記リールの回転を停止させるときに遊技者が操作するストップスイッチと、
役の抽選を行う役抽選手段と、
前記役抽選手段による役の抽選結果に基づいて、前記リールを停止制御するリール停止制御手段と、
前記スタートスイッチの操作に基づく所定のタイミングから前記リールの回転時間の計測を開始する手段と、
前記リールの回転時間の計測を開始した後、前記ストップスイッチが操作されたとき、又は前記ストップスイッチが操作されることなく所定時間が経過したときに、前記リールの回転時間の計測を終了する手段と
を備え、
前記リール停止制御手段は、
前記リールの回転時間の計測を開始した後、前記ストップスイッチが操作されることなく前記所定時間が経過したときは、前記リールを自動停止させ、
前記役抽選手段で特定当選となった場合において、前記ストップスイッチの操作に基づいて前記リールを停止させるときは、前記特定当選に対応する図柄の組合せを有効ラインに停止可能とし、前記ストップスイッチが操作されることなく前記リールを自動停止させるときは、前記特定当選に対応する図柄の組合せを有効ラインに停止させないように制御する
ことを特徴とするスロットマシン。
【手続補正２】
【補正対象書類名】明細書
【補正対象項目名】０００５
【補正方法】変更
【補正の内容】
【０００５】
本発明は、以下の解決手段によって、上述の課題を解決する。
請求項１の発明は、
複数種類の図柄を表示した複数のリールと、
前記リールの回転を開始させるときに遊技者が操作するスタートスイッチと、
各前記リールに対応して設けられ、前記リールの回転を停止させるときに遊技者が操作するストップスイッチと、
役の抽選を行う役抽選手段と、
前記役抽選手段による役の抽選結果に基づいて、前記リールを停止制御するリール停止制御手段と、
前記スタートスイッチの操作に基づく所定のタイミングから前記リールの回転時間の計測を開始する手段と、
前記リールの回転時間の計測を開始した後、前記ストップスイッチが操作されたとき、又は前記ストップスイッチが操作されることなく所定時間が経過したときに、前記リールの回転時間の計測を終了する手段と
を備え、
前記リール停止制御手段は、
前記リールの回転時間の計測を開始した後、前記ストップスイッチが操作されることなく前記所定時間が経過したときは、前記リールを自動停止させ、
前記役抽選手段で特定当選となった場合において、前記ストップスイッチの操作に基づいて前記リールを停止させるときは、前記特定当選に対応する図柄の組合せを有効ラインに停止可能とし、前記ストップスイッチが操作されることなく前記リールを自動停止させるときは、前記特定当選に対応する図柄の組合せを有効ラインに停止させないように制御する
ことを特徴とする。
【手続補正３】
【補正対象書類名】明細書
【補正対象項目名】０００６
【補正方法】変更
【補正の内容】
【０００６】
請求項１の発明においては、スタートスイッチの操作に基づく所定のタイミングからリールの回転時間が計測される。
そして、回転時間の計測中にストップスイッチが操作されたとき、又は所定時間が経過したときは、その計測を終了する。
リール停止制御手段は、特定当選時に、ストップスイッチの操作に基づいてリールを停止させるときは、特定当選に係る役を入賞可能とするが、リールの自動停止時には、特定当選に係る役を入賞させない。
【手続補正４】
【補正対象書類名】明細書
【補正対象項目名】０００７
【補正方法】変更
【補正の内容】
【０００７】
したがって、リールの回転時間の計測を開始してから、ストップスイッチが操作されたときと、ストップスイッチが操作されることなくリールが自動停止したときとで、リールの停止制御が異なるようになる。よって、役の当選の有無以外の要因に基づいてリールの停止制御を変化させることができ、リールの停止時における図柄の組合せを多彩にすることができる。
【手続補正５】
【補正対象書類名】明細書
【補正対象項目名】０００８
【補正方法】変更
【補正の内容】
【０００８】
（本発明と実施形態との関係）
（１）「スタートスイッチの操作に基づく所定のタイミング」については、実施形態では、「スタートスイッチ４１が遊技者によってオンされ、リール３１が回転されると、リール３１の回転信号が回転時間計測手段６２に送信される（「００５６」）」ので、この回転信号を受信した時が「所定のタイミング」に相当する。
（２）「所定時間が経過」とは、実施形態では、「６０秒が経過」に相当する（「００６５」）。
（３）「前記リールの回転時間の計測を開始した後、前記ストップスイッチが操作されたとき、又は前記ストップスイッチが操作されることなく所定時間が経過したときに、前記リールの回転時間の計測を終了する手段」は、図４において、ａ）ステップＳ６でストップスイッチが操作されたと判断したときに、ステップＳ７、ステップＳ８を経て、ステップＳ１４の処理を実行する場合と、ｂ）ステップＳ９で「Ｙｅｓ」（所定時間の経過）となり、ステップＳ１３を経てステップＳ１４の処理を実行する場合とに相当する。
（４）「特定当選」とは、実施形態では、特別役の当選に相当する（「００４２」、「００５３」〜「００５４」）。
（５）「特定当選に対応する図柄の組合せ」とは、実施形態では、特別役に対応する図柄の組合せに相当し、たとえばＢＢの図柄の組合せである「７」−「７」−「７」に相当する（「００４９」）。
（６）「特定当選となった場合において、前記ストップスイッチの操作に基づいて前記リールを停止させるときは、前記特定当選に対応する図柄の組合せを有効ラインに停止可能とし」については、実施形態の図３に記載のように、特別役当選時は、第１停止制御及び第２停止制御のいずれも、特別役入賞制御を行うことに相当する。
なお、「その役に対応する図柄の組合せが有効ラインに停止」とは、「その役の入賞」と同じ意味である（「００４１」）。
（７）「前記リールを自動停止させる」ときの停止制御としては、実施形態では、「第１停止制御、第２停止制御以外の停止制御（「００６５」）」や、「どのようなものであっても良い（「００９６」）旨が例示されている。
また、設けても良い停止制御の例として、「特別役当選時であっても特別役入賞制御を行わない停止制御」が例示されている（「０１２３」）。
以上より、「特定当選となった場合において、・・・、前記ストップスイッチが操作されることなく前記リールを自動停止させるときは、前記特定当選に対応する図柄の組合せを有効ラインに停止させない」とは、特別役当選時に、リールの自動停止時には、特別役入賞制御を行わないことに相当する。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】変更
【補正の内容】
【００２７】
請求項１の発明によれば、リールの回転時間の計測を開始してから、ストップスイッチが操作されたときと、ストップスイッチが操作されることなくリールが自動停止したときとで、リールの停止制御が異なるようになる。よって、役の当選の有無以外の要因に基づいてリールの停止制御を変化させることができ、リールの停止時における図柄の組合せを多彩にすることができる。
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】